(57)【要約】【課題】  電子カメラと画像出力装置とからなる画像処理システムにおいて、処理時間を短縮するとともに操作性を向上すること。【解決手段】  電子カメラと画像出力装置とからなる画像処理システムであって、電子カメラは、撮像素子により被写体像を撮像し、デジタル形式のＲＡＷデータを出力する撮像部と、撮像部により出力したＲＡＷデータを記録する記録部と、記録部からＲＡＷデータを読み出して、画像出力装置が取り扱い可能なデータ形式に変換する変換部と、変換部によりデータ形式を変換したＲＡＷデータを、画像出力装置に転送する転送部とを備え、画像出力装置は、転送部により転送したＲＡＷデータを受け取る受取部と、受取部により受け取ったＲＡＷデータに、出力のための画像処理を行う画像処理部と、画像処理部により画像処理を施したＲＡＷデータを画像として出力する画像出力部とを備える。【選択図】      図１
2007019745.tif 000002
【特許請求の範囲】
【請求項１】
電子カメラと画像出力装置とからなる画像処理システムであって、
前記電子カメラは、
撮像素子により被写体像を撮像し、デジタル形式のＲＡＷデータを出力する撮像部と、
前記撮像部により出力した前記ＲＡＷデータを記録する記録部と、
前記記録部から前記ＲＡＷデータを読み出して、前記画像出力装置が取り扱い可能なデータ形式に変換する変換部と、
前記変換部によりデータ形式を変換した前記ＲＡＷデータを、前記画像出力装置に転送する転送部とを備え、
前記画像出力装置は、
前記転送部により転送した前記ＲＡＷデータを受け取る受取部と、
前記受取部により受け取った前記ＲＡＷデータに、出力のための画像処理を行う画像処理部と、
前記画像処理部により画像処理を施した前記ＲＡＷデータを画像として出力する画像出力部とを備えた
ことを特徴とする画像処理システム。
【請求項２】
請求項１に記載の画像処理システムにおいて、
前記変換部は、前記ＲＡＷデータを、ＪＰＥＧ形式に変換する
ことを特徴とする画像処理システム。
【請求項３】
請求項１に記載の画像処理システムにおいて、
前記記録部に記録した前記ＲＡＷデータのうち、任意のＲＡＷデータを指定するユーザ操作を受け付ける第１の受付部と、
前記任意のＲＡＷデータを、前記電子カメラから前記画像出力装置へ転送する指示を受け付ける第２の受付部をさらに備え、
前記変換部は、前記第１の受付部により前記ユーザ操作を受け付けると、前記第２の受付部による受け付けまでの間に、前記ＲＡＷデータを前記画像出力装置が取り扱い可能なデータ形式に変換する
ことを特徴とする画像処理システム。
【請求項４】
請求項１に記載の画像処理システムにおいて、
前記電子カメラから前記画像出力装置へ前記ＲＡＷデータを転送する指示を受け付ける受付部をさらに備え、
前記変換部は、前記受付部により前記指示を受け付けると、前記ＲＡＷデータを前記画像出力装置が取り扱い可能なデータ形式に変換する
ことを特徴とする画像処理システム。
【請求項５】
請求項１に記載の画像処理システムにおいて、
前記変換部は、前記ＲＡＷデータを、前記画像出力装置が取り扱い可能なデータ形式に変換するとともに、前記画像出力部による出力に適した画像サイズに基づいて、リサイズ処理を行う
ことを特徴とする画像処理システム。
【発明の詳細な説明】
【技術分野】
【０００１】
本発明は、電子カメラと画像出力装置とからなる画像処理システムに関する。
【背景技術】
【０００２】
電子カメラを、コンピュータなどを介さずにプリンターや表示装置などの画像出力装置と直接接続して、画像出力を行う技術が考えられている。このような技術により、ユーザによる操作を簡略化することができる。例えば、特許文献１の発明では、電子カメラをプリンターと直接接続して画像出力を行う。この発明では、電子カメラからプリンターに非可逆圧縮画像を転送し、プリンター側でこの画像を解凍処理して画像出力を行う。
【特許文献１】特開２００２−７３２８９号公報
【発明の開示】
【発明が解決しようとする課題】
【０００３】
しかし、電子カメラでは、ＪＰＥＧ形式などの非可逆圧縮画像の他に、可逆圧縮画像であるいわゆるＲＡＷデータと呼ばれる画像も生成される。このＲＡＷデータは、電子カメラメーカーおよび機器の種類等によって独自の形式を有するため、プリンター側でこの画像を解凍処理することができない場合が多い。したがって、このような画像を出力するためには、電子カメラを、一度コンピュータなどの二次処理機能を有する機器に転送し、二次処理を行った後にプリンターに転送する必要がある。
【０００４】
本発明の画像処理システムは、電子カメラと画像出力装置とからなる画像処理システムにおいて、処理時間を短縮するとともに操作性を向上することを目的とする。
【課題を解決するための手段】
【０００５】
本発明の画像処理システムは、電子カメラと画像出力装置とからなる画像処理システムであって、前記電子カメラは、撮像素子により被写体像を撮像し、デジタル形式のＲＡＷデータを出力する撮像部と、前記撮像部により出力した前記ＲＡＷデータを記録する記録部と、前記記録部から前記ＲＡＷデータを読み出して、前記画像出力装置が取り扱い可能なデータ形式に変換する変換部と、前記変換部によりデータ形式を変換した前記ＲＡＷデータを、前記画像出力装置に転送する転送部とを備え、前記画像出力装置は、前記転送部により転送した前記ＲＡＷデータを受け取る受取部と、前記受取部により受け取った前記ＲＡＷデータに、出力のための画像処理を行う画像処理部と、前記画像処理部により画像処理を施した前記ＲＡＷデータを画像として出力する画像出力部とを備える。
【０００６】
なお、好ましくは、前記変換部は、前記ＲＡＷデータを、ＪＰＥＧ形式に変換するようにしても良い。
また、好ましくは、前記記録部に記録した前記ＲＡＷデータのうち、任意のＲＡＷデータを指定するユーザ操作を受け付ける第１の受付部と、前記任意のＲＡＷデータを、前記電子カメラから前記画像出力装置へ転送する指示を受け付ける第２の受付部をさらに備え、前記変換部は、前記第１の受付部により前記ユーザ操作を受け付けると、前記第２の受付部による受け付けまでの間に、前記ＲＡＷデータを前記画像出力装置が取り扱い可能なデータ形式に変換するようにしても良い。
【０００７】
また、好ましくは、前記電子カメラから前記画像出力装置へ前記ＲＡＷデータを転送する指示を受け付ける受付部をさらに備え、前記変換部は、前記受付部により前記指示を受け付けると、前記ＲＡＷデータを前記画像出力装置が取り扱い可能なデータ形式に変換するようにしても良い。
また、好ましくは、前記変換部は、前記ＲＡＷデータを、前記画像出力装置が取り扱い可能なデータ形式に変換するとともに、前記画像出力部による出力に適した画像サイズに基づいて、リサイズ処理を行うようにしても良い。
【発明の効果】
【０００８】
本発明の画像処理システムによれば、電子カメラと画像出力装置とからなる画像処理システムにおいて、処理時間を短縮するとともに操作性を向上することができる。
【発明を実施するための最良の形態】
【０００９】
＜第１実施形態＞
以下、図面に基づいて、本発明の第１実施形態について詳細に説明する。
なお、第１実施形態では、本発明の画像出力装置の一例として、プリンターを例に挙げて説明する。
図１は画像処理システム１の構成を示す機能ブロック図である。
【００１０】
画像処理システム１は、図１に示すように電子カメラ１０とプリンター２０とから構成される。電子カメラ１０は、不図示の撮影レンズ、撮像素子、およびＣＣＤなどを備えた撮像部１１、撮像部１１により生成された画像に対して画像処理を施す画像処理部１２、画像を表示する液晶モニタなどを備えた表示部１３、画像を記録する記録媒体などからなる記録部１４、コンピュータやプリンターなどの外部機器と相互に接続可能な外部インタフェース部１５、各部を制御する制御部１６、不図示のレリーズボタンなどを有し、ユーザ操作を受け付ける操作部１７を備える。撮像部１１、画像処理部１２、記録部１４、外部インタフェース部１５、制御部１６は、バスを介して相互に接続される。また、制御部１６の出力は、各部の出力はバスを介して表示部１３にも接続される。また、操作部１７の出力は、制御部１６に接続される。
【００１１】
撮像部１１は、撮影レンズを介した被写体像をＣＣＤにより光電変換し、さらにＡ／Ｄ変換を行って、ＲＡＷデータを出力する。画像処理部１２は、撮像部１１により生成された画像に対してホワイトバランス調整、色処理、ガンマ処理などの処理を行うとともに、本発明の特徴であるデータ形式の変更やリサイズ処理を行う。表示部１３は、撮像部１１により生成された画像や記録部１４に記録された画像を表示するとともに、構図確認用のスルー画像を表示することにより、ファインダーとしても利用される。制御部１６は、内部にメモリ１８を備え、各部を制御するためのプログラムを予め記録する。そして、このプログラムにしたがって各部を制御する。また、制御部１６は、操作部１７の状態を検知する。
【００１２】
プリンター２０は、コンピュータや電子カメラなどの外部機器と相互に接続可能な外部インタフェース部２１、外部インタフェース部２１を介して取得した画像に対して出力のための画像処理を行う画像処理部２２、用紙への印刷を行う画像出力部２３、各部を制御する制御部２４を備え、各部はバスを介して相互に接続される。画像処理部２２が行う画像処理とは、例えばＪＰＥＧ解凍処理などである。
【００１３】
以上説明した構成の電子カメラ１において、操作部１７により撮像指示が行われると、制御部１６はこれを検知し、撮像部１１の撮影レンズを介した被写体像をＣＣＤにより光電変換し、さらにＡ／Ｄ変換を行って、ＲＡＷデータを出力する。そして、制御部１６は、画像処理部１２を介して、ホワイトバランス調整、色処理、ガンマ処理などの処理を行い、記録部１４に記録する。このとき、記録する際のデータ形式は、ＲＡＷデータか、または、ＪＰＥＧ形式の何れかとする。データ形式の選択は、操作部１７を介したユーザ操作により行われる。制御部１６は、ＲＡＷデータが選択された場合は、画像処理部１２でホワイトバランス調整、色処理、ガンマ処理などの処理を行った画像データをそのまま記録部１４に記録し、ＪＰＥＧ形式が選択された場合は、画像処理部１２でホワイトバランス調整、色処理、ガンマ処理などの処理を行った後に、ＪＰＥＧ圧縮処理を行ってから記録部１４に記録する。
【００１４】
撮像により生成された複数の画像が記録部１４に記録された状態で、ユーザにより電子カメラ１０の外部インタフェース部１５とプリンター２０の外部インタフェース部２１とが接続された場合の動作について、以下に説明する。ユーザにより電子カメラ１０の外部インタフェース部１５とプリンター２０の外部インタフェース部２１とが接続された場合とは、いわゆるダイレクトプリントを実行する場合であり、ユーザは、電子カメラ１０とプリンター２０とを直接接続して画像出力を行う。なお、以下では本発明の特徴である電子カメラ１０からプリンター２０への転送にかかわる処理についてのみ説明する。転送処理後の処理については、公知技術と同様に行われる。
【００１５】
電子カメラ１０とプリンター２０とが直接接続され、操作部１７を介してダイレクトプリントの対象となる画像が指定されると、ステップＳ１において、制御部１６は、ダイレクトプリントの対象として、ＲＡＷ画像が指定されたか否かを判定する。ＲＡＷ画像が指定された場合はステップＳ２に進み、ＲＡＷ画像が指定されない場合、すなわちＪＰＥＧ画像が指定された場合はステップＳ３に進む。
【００１６】
ステップＳ２において、制御部１６は、ダイレクトプリントの対象として指定されたＲＡＷ画像を記録部１４から読み出し、画像処理部１２を介して、ＪＰＥＧ圧縮処理を行うことによりＪＰＥＧ画像に変換する。
ステップＳ３において、制御部１６は、ダイレクトプリントの対象として指定されたＪＰＥＧ画像を記録部１４から読み出してプリンター２０に転送するか、または、ステップＳ２で変換したＪＰＥＧ画像をプリンター２０に転送する。
【００１７】
以上説明したように、第１実施形態によれば、電子カメラにより生成したデジタル形式のＲＡＷデータを記録するとともに、そのＲＡＷデータを画像出力装置が取り扱い可能なデータ形式（ＪＰＥＧ形式）に変換して、画像出力装置に転送する。そして、画像出力装置は、電子カメラから転送されたデータ形式変換後のＲＡＷデータを受け取り、出力のための画像処理を行った後に画像として出力する。そのため、電子カメラの独自の形式であるＲＡＷ画像がユーザにより指定された場合でも、電子カメラ１０が備える画像処理部１２の機能を利用して、プリンター２０が取り扱い可能なデータ形式であるＪＰＥＧ形式に変換する。したがって、電子カメラと画像出力装置とからなる画像処理システムにおける操作性を向上することができる。また、電子カメラ１０側でＪＰＥＧ形式に変換してプリンター２０に転送することにより、データ転送に要する時間の短縮も期待できる。
【００１８】
＜第２実施形態＞
以下、本発明の第２実施形態について詳細に説明する。第２実施形態は、第１実施形態をより詳細にした実施形態である。
なお、以下では、第１実施形態と異なる部分についてのみ説明を行う。第２実施形態の画像処理システムは、第１実施形態の画像処理システム１と同様の構成を有する。以下では、第１実施形態と同様の符号を用いて説明する。
【００１９】
第２実施形態では、第１実施形態と同様のダイレクトプリントに際して、２段階の指示が行われる。第１段階の指示とは、操作部１７を介したユーザ操作に基づくダイレクトプリントの対象となる画像の指定であり、第２段階の指示とは、プリンター２０側から電子カメラ１０側への転送指示である。転送指示とは、プリンター２０の制御部２４から電子カメラ１０の制御部１６に対して行われる指示であり、電子カメラ１０からプリンター２０への画像の転送が可能で、かつ、受け入れ準備ができた状態で、プリンター２０の制御部２４から電子カメラ１０の制御部１６に対して行われる。
【００２０】
電子カメラ１０とプリンター２０とが直接接続されると、ステップＳ１１において、制御部１６は、操作部１７を介してユーザによりダイレクトプリントの対象となる画像が指定されたか否かを判定する。制御部１６は、画像が指定されるまで待機し、画像が指定されると、ステップＳ１２に進む。
ステップＳ１２において、制御部１６は、ダイレクトプリントの対象として、ＲＡＷ画像が指定されたか否かを判定する。ＲＡＷ画像が指定された場合はステップＳ１３に進み、ＲＡＷ画像が指定されない場合、すなわちＪＰＥＧ画像が指定された場合はステップＳ１８に進む。
【００２１】
ステップＳ１３において、制御部１６は、ダイレクトプリントの対象として指定されたＲＡＷ画像を記録部１４から読み出し、画像処理部１２を介して、ＪＰＥＧ圧縮処理を行うことによりＪＰＥＧ画像に変換する。
ステップＳ１４において、制御部１６は、ステップＳ１３で変換したＪＰＥＧ画像をメモリ１８に記録する。すなわち、ステップＳ１１において指定されたＲＡＷ画像をＪＰＥＧ形式の仮想ファイルとしてメモリ１８に用意しておく。
【００２２】
ステップＳ１５において、制御部１６は、外部インタフェース部１５および外部インタフェース部２１を介して、ＪＰＥＧ形式の名称をプリンター２０の制御部２４に通知する。このようにＪＰＥＧ形式の名称を通知することにより、従来はプリンター２０で取り扱い不可能であったＲＡＷ画像も取り扱い可能な画像として通知することができる。
ステップＳ１６において、制御部１６は、プリンター２０から転送指示を受け付けたか否かを判定する。制御部１６は、転送指示を受け付けるまで待機し、転送指示を受け付けるとステップＳ１７に進む。なお、待機時間に上限を設け、上限を超えた場合にはステップＳ１１に戻るようにしても良い。
【００２３】
ステップＳ１７において、制御部１６は、メモリ１８に記録したＪＰＥＧ画像（ＪＰＥＧ形式の仮想ファイル）を、外部インタフェース部１５および外部インタフェース部２１を介して、プリンター２０に転送し、一連の処理を終了する。
一方、ステップＳ１２でＪＰＥＧ画像が指定された場合、ステップＳ１８において、制御部１６は、その画像の名称を外部インタフェース部１５および外部インタフェース部２１を介して、プリンター２０の制御部２４に通知する。
【００２４】
ステップＳ１９において、制御部１６は、プリンター２０から転送指示を受け付けたか否かを判定する。制御部１６は、転送指示を受け付けるまで待機し、転送指示を受け付けるとステップＳ２０に進む。なお、ステップＳ１６と同様に、待機時間に上限を設け、上限を超えた場合にはステップＳ１１に戻るようにしても良い。
ステップＳ２０において、制御部１６は、ステップＳ１１で指定されたＪＰＥＧ画像を記録部１４から読み出して、外部インタフェース部１５および外部インタフェース部２１を介して、プリンター２０に転送し、一連の処理を終了する。
【００２５】
以上説明したように、第２実施形態によれば、電子カメラに記録したＲＡＷデータのうち、任意のＲＡＷデータを指定するユーザ操作を受け付けると、そのＲＡＷデータを電子カメラから画像出力装置へ転送する指示を受け付けるまでの間に、ＲＡＷデータを画像出力装置が取り扱い可能なデータ形式に変換する。したがって、ユーザ操作により指定されたＲＡＷ画像をＪＰＥＧ形式の仮想ファイルとしてメモリ１８に用意しておくことにより、プリンター２０からの転送指示に素早く対応することができる。
【００２６】
＜第３実施形態＞
以下、本発明の第３実施形態について詳細に説明する。第３実施形態は、第２実施形態と同様に、第１実施形態をより詳細にした実施形態である。
なお、以下では、第１実施形態と異なる部分についてのみ説明を行う。第３実施形態の画像処理システムは、第１実施形態の画像処理システム１と同様の構成を有する。以下では、第１実施形態と同様の符号を用いて説明する。
【００２７】
第３実施形態では、第１実施形態と同様のダイレクトプリントに際して、第２実施形態と同様に、２段階の指示が行われる。第１段階の指示とは、操作部１７を介したユーザ操作に基づくダイレクトプリントの対象となる画像の指定であり、第２段階の指示とは、プリンター２０側から電子カメラ１０側への転送指示である。転送指示とは、プリンター２０の制御部２４から電子カメラ１０の制御部１６に対して行われる指示であり、電子カメラ１０からプリンター２０への画像の転送が可能で、かつ、受け入れ準備ができた状態で、プリンター２０の制御部２４から電子カメラ１０の制御部１６に対して行われる。
【００２８】
電子カメラ１０とプリンター２０とが直接接続されると、ステップＳ２１において、制御部１６は、操作部１７を介してユーザによりダイレクトプリントの対象となる画像が指定されたか否かを判定する。制御部１６は、画像が指定されるまで待機し、画像が指定されると、ステップＳ２２に進む。
ステップＳ２２において、制御部１６は、ダイレクトプリントの対象として、ＲＡＷ画像が指定されたか否かを判定する。ＲＡＷ画像が指定された場合はステップＳ２３に進み、ＲＡＷ画像が指定されない場合、すなわちＪＰＥＧ画像が指定された場合はステップＳ２７に進む。
【００２９】
ステップＳ２３において、制御部１６は、ＲＡＷ画像にＪＰＥＧ形式の名称を付け、外部インタフェース部１５および外部インタフェース部２１を介して、プリンター２０の制御部２４に通知する。このようにＪＰＥＧ形式の名称を通知することにより、従来はプリンター２０で取り扱い不可能であったＲＡＷ画像も取り扱い可能な画像として通知することができる。
【００３０】
ステップＳ２４において、制御部１６は、プリンター２０から転送指示を受け付けたか否かを判定する。制御部１６は、転送指示を受け付けるまで待機し、転送指示を受け付けるとステップＳ２５に進む。なお、待機時間に上限を設け、上限を超えた場合にはステップＳ２１に戻るようにしても良い。
ステップＳ２５において、制御部１６は、ステップＳ２１で指定されたＲＡＷ画像を記録部１４から読み出し、画像処理部１２を介して、ＪＰＥＧ圧縮処理を行うことによりＪＰＥＧ画像に変換する。
【００３１】
ステップＳ２６において、制御部１６は、ステップＳ２５で変換したＪＰＥＧ画像を、外部インタフェース部１５および外部インタフェース部２１を介して、プリンター２０に転送し、一連の処理を終了する。
一方、ステップＳ２２でＪＰＥＧ画像が指定された場合、ステップＳ２７において、制御部１６は、その画像の名称を外部インタフェース部１５および外部インタフェース部２１を介して、プリンター２０の制御部２４に通知する。
【００３２】
ステップＳ２８において、制御部１６は、プリンター２０から転送指示を受け付けたか否かを判定する。制御部１６は、転送指示を受け付けるまで待機し、転送指示を受け付けるとステップＳ２０に進む。なお、ステップＳ２４と同様に、待機時間に上限を設け、上限を超えた場合にはステップＳ２１に戻るようにしても良い。
ステップＳ２９において、制御部１６は、ステップＳ２２で指定されたＪＰＥＧ画像を記録部１４から読み出して、外部インタフェース部１５および外部インタフェース部２１を介して、プリンター２０に転送し、一連の処理を終了する。
【００３３】
以上説明したように、第３実施形態によれば、電子カメラから画像出力装置へＲＡＷデータを転送する指示を受け付けると、ＲＡＷデータを画像出力装置が取り扱い可能なデータ形式に変換する。そのため、電子カメラの独自の形式であるＲＡＷ画像がユーザにより指定された場合に、転送指示が行われると、電子カメラ１０が備える画像処理部１２の機能を利用して、プリンター２０が取り扱い可能なデータ形式であるＪＰＥＧ形式に変換しする。したがって、必要な場合にのみＪＰＥＧ形式への変換を行うことができる。
【００３４】
なお、上述した第１実施形態から第３実施形態の転送処理の前に、以下の処理を追加するようにしても良い。転送処理とは、第１実施形態では、図２のフローチャートのステップＳ３の処理であり、第２実施形態では、図３のフローチャートのステップＳ１７またはステップＳ２０の処理であり、第３実施形態では、図４のフローチャートのステップＳ２６またはステップＳ２９の処理である。
【００３５】
ステップＳ３１において、制御部１６は、転送対象の画像サイズが、用紙サイズより大きいか否かを判定する。ここで、用紙サイズとは、プリンター２０の画像出力部２３において、用紙への印刷を行う際の用紙サイズであり、例えば、Ａ４、Ａ５などの形式で定められる。この用紙サイズは、操作部１７を介したユーザ操作により指定される。制御部１６は、転送対象の画像サイズが、用紙サイズより大きい場合にはステップＳ３２に進み、転送対象の画像サイズが、用紙サイズより小さい場合には転送処理に移行する。
【００３６】
ステップＳ３２において、制御部１６は、画像処理部１２を介して、転送対象の画像を、用紙サイズに合わせてリサイズした後に転送処理に移行する。
例えば、Ａ４の用紙サイズの用紙に、１枚の画像を出力する場合には、画像サイズは５Ｍ程度で十分である。また、Ａ４の用紙サイズの用紙に、２枚の画像を出力する場合、および、Ａ５の用紙サイズ（Ｌサイズ）の用紙に、１枚の画像を出力する場合には、画像のサイズは３Ｍ程度で十分である。制御部１６は、用紙サイズごとに適当な画像サイズをテーブルとして記録しておき、転送処理の前に、画像処理部１２を介してリサイズ処理を行う。
【００３７】
このように、ＲＡＷデータを画像出力装置が取り扱い可能なデータ形式に変換するとともに、出力に適した画像サイズに基づいてリサイズ処理を行うことにより、必要以上にサイズの大きい画像サイズの画像を転送することによって無駄な転送時間が発生することを回避することができる。さらに、プリンターの動作中は、電子カメラは動作停止している場合が多く、機器間におけるパフォーマンスのバランスが悪い。そこで、プリンターの動作中に電子カメラ側でリサイズ処理を実行することにより、パフォーマンスのバランスを良くし、トータルのスループットを向上させることもできる。
【００３８】
なお、このようなリサイズ処理は、転送対象の画像の形式にかかわらず実行すると良い。転送対象の画像がＲＡＷ画像である場合には、データのサイズを可能な限り縮小することにより、転送時間を大幅に短縮することが期待できる。
なお、上述した各実施形態では、画像出力装置の一例として、プリンターを例に挙げて説明を行ったが、ディスプレイ装置やプロジェクターなどの画像出力装置にも本発明を同様に適用することができる。
【００３９】
また、上述した各実施形態では、画像出力装置が取り扱い可能なデータ形式としてＪＰＥＧ形式を例に挙げて説明を行ったが、画像出力装置で取り扱うことが可能であれば、ＴＩＦＦ形式やＢＭＰ形式など他の形式であっても良い。
また、上述した各実施形態では、電子カメラ１０の操作部１７を介してユーザ操作を受け付ける例を示したが、プリンター２０に操作部を設けて、適宜その操作部を介してユーザ操作を受け付けるようにしても良い。
【００４０】
また、上述した各実施形態を組み合わせて実行するようにしても良い。例えば、第２実施形態で説明した処理を行うモードと、第３実施形態で説明した処理を行うモードとを備え、ユーザ操作にしたがって、何れかの処理を実行するようにしても良い。
【図面の簡単な説明】
【００４１】
【図１】画像処理システム１の構成を示す機能ブロック図である。
【図２】第１実施形態の画像処理システム１の動作を示すフローチャートである。
【図３】第２実施形態の画像処理システム１の動作を示すフローチャートである。
【図４】第３実施形態の画像処理システム１の動作を示すフローチャートである。
【図５】追加処理時の動作を示すフローチャートである。
【符号の説明】
【００４２】
１，画像処理システム  １０，電子カメラ  １１，撮像部  １２・２２，画像処理部  １４，記録部  １５・２１，外部インタフェース部  １６・２４，制御部  １７，操作部  １８，メモリ  ２０，プリンター  ２３，画像出力部
【図１】
2007019745.tif 000003
【図２】
2007019745.tif 000004
【図３】
2007019745.tif 000005
【図４】
2007019745.tif 000006
【図５】
2007019745.tif 000007